【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
基地局装置と通信する端末装置であって、
上位層の設定情報と、下りリンク制御情報と、トランスポートブロックが含まれる下りリンク共有チャネルとを受信する無線受信部と、
リダンダンシーバージョンを用いて前記下りリンク共有チャネルを復号することによって前記トランスポートブロックを求める信号検出部と、を備え、
前記下りリンク共有チャネルが繰り返して送信される連続スロットの数を前記上位層の設定情報は含み、
前記下りリンク制御情報は、前記リダンダンシーバージョン、第1の送信構成指標及び第2の送信構成指標を含み、
前記リダンダンシーバージョンは、誤り訂正符号化におけるビット選択の開始位置を示し、
前記第1の送信構成指標は、前記下りリンク共有チャネルの復調に用いられる復調参照信号と第1の所定の下りリンク信号との第1の擬似コロケーション情報を示し、前記第2の送信構成指標は、前記復調参照信号と第2の所定の下りリンク信号との第2の擬似コロケーション情報を示し、
前記無線受信部は、
前記連続スロットのうちの少なくとも1又は複数の第1のスロットにおいて、前記第1の送信構成指標に基づいて前記下りリンク共有チャネルを受信し、
前記連続スロットのうち少なくとも1又は複数の第2のスロットにおいて、前記第2の送信構成指標に基づいて前記下りリンク共有チャネルを受信し、
前記1又は複数の第1のスロットのうちのスロット番号がnのスロットにおいて前記下りリンク共有チャネルの復号に用いられるリダンダンシーバージョンは、前記下りリンク制御信号に含まれるリダンダンシーバージョンと、nと、前記スロット番号がnのスロットのスロットインデックスとによって決定され、
前記1又は複数の第2のスロットのうちのスロット番号がmのスロットにおいて前記下りリンク共有チャネルの復号に用いられるリダンダンシーバージョンは、前記下りリンク制御信号に含まれるリダンダンシーバージョンと、mと、前記スロット番号がmのスロットのスロットインデックスとによって決定され、
n及びmは0以上の整数であり、
前記スロットインデックスは、前記連続スロットの中でのスロットの順番を示す
端末装置。
【請求項２】
前記連続スロットのうち、
奇数番目のスロットは、前記1又は複数の第1のスロットであり、
偶数番目のスロットは、前記1又は複数の第2のスロットである
請求項１に記載の端末装置。
【請求項３】
前記連続スロットのうち、
1番目及び2番目のスロットは、前記1又は複数の第1のスロットであり、
3番目及び4番目のスロットは、前記1又は複数の第2のスロットである
請求項１に記載の端末装置。
【請求項４】
端末装置と通信する基地局装置であって、
トランスポートブロックを符号化する符号化部と、
上位層の設定情報と、下りリンク制御情報と、前記トランスポートブロックが含まれる下りリンク共有チャネルとを送信する無線送信部と、を備え、
前記下りリンク共有チャネルが繰り返して送信される連続スロットの数を前記上位層の設定情報は含み、
前記下りリンク制御情報は、リダンダンシーバージョン、第1の送信構成指標及び第2の送信構成指標を含み、
前記リダンダンシーバージョンは、誤り訂正符号化におけるビット選択の開始位置を示し、前記下りリンク共有チャネルを復号することによって前記トランスポートブロックを求めるために用いられ、
前記第1の送信構成指標は、前記下りリンク共有チャネルの復調に用いられる復調参照信号と第1の所定の下りリンク信号との第1の擬似コロケーション情報を示し、前記第2の送信構成指標は、前記復調参照信号と第2の所定の下りリンク信号との第2の擬似コロケーション情報を示し、
前記無線送信部は、
前記連続スロットのうちの少なくとも1又は複数の第1のスロットにおいて、前記第1の送信構成指標に基づいて前記下りリンク共有チャネルを送信し、
前記連続スロットのうち少なくとも1又は複数の第2のスロットにおいて、前記第2の送信構成指標に基づいて前記下りリンク共有チャネルを送信し、
前記1又は複数の第1のスロットのうちのスロット番号がnのスロットにおいて前記下りリンク共有チャネルの復号に用いられるリダンダンシーバージョンは、前記下りリンク制御信号に含まれるリダンダンシーバージョンと、nと、前記スロット番号がnのスロットのスロットインデックスとによって決定され、
前記1又は複数の第2のスロットのうちのスロット番号がmのスロットにおいて前記下りリンク共有チャネルの復号に用いられるリダンダンシーバージョンは、前記下りリンク制御信号に含まれるリダンダンシーバージョンと、mと、前記スロット番号がmのスロットのスロットインデックスとによって決定され、
n及びmは0以上の整数であり、
前記スロットインデックスは、前記連続スロットの中でのスロットの順番を示す
基地局装置。
【請求項５】
前記連続スロットのうち、
奇数番目のスロットは、前記1又は複数の第1のスロットであり、
偶数番目のスロットは、前記1又は複数の第2のスロットである
請求項4に記載の基地局装置。
【請求項６】
前記連続スロットのうち、
1番目及び2番目のスロットは、前記1又は複数の第1のスロットであり、
3番目及び4番目のスロットは、前記1又は複数の第2のスロットである
請求項4に記載の基地局装置。
【請求項７】
基地局装置と通信する端末装置に用いられる通信方法であって、
上位層の設定情報と、下りリンク制御情報と、トランスポートブロックが含まれる下りリンク共有チャネルとを受信する受信ステップと、
リダンダンシーバージョンを用いて前記下りリンク共有チャネルを復号することによって前記トランスポートブロックを取得する取得ステップと、を有し、
前記下りリンク共有チャネルが繰り返して送信される連続スロットの数を前記上位層の設定情報は含み、
前記下りリンク制御情報は、前記リダンダンシーバージョン、第1の送信構成指標及び第2の送信構成指標を含み、
前記リダンダンシーバージョンは、誤り訂正符号化におけるビット選択の開始位置を示し、
前記第1の送信構成指標は、前記下りリンク共有チャネルの復調に用いられる復調参照信号と第1の所定の下りリンク信号との第1の擬似コロケーション情報を示し、前記第2の送信構成指標は、前記復調参照信号と第2の所定の下りリンク信号との第2の擬似コロケーション情報を示し、
前記受信ステップにおいて
前記連続スロットのうちの少なくとも1又は複数の第1のスロットにおいて、前記第1の送信構成指標に基づいて前記下りリンク共有チャネルを受信し、
前記連続スロットのうち少なくとも1又は複数の第2のスロットにおいて、前記第2の送信構成指標に基づいて前記下りリンク共有チャネルを受信し、
前記1又は複数の第1のスロットのうちのスロット番号がnのスロットにおいて前記下りリンク共有チャネルの復号に用いられるリダンダンシーバージョンは、前記下りリンク制御信号に含まれるリダンダンシーバージョンと、nと、前記スロット番号がnのスロットのスロットインデックスとによって決定され、
前記1又は複数の第2のスロットのうちのスロット番号がmのスロットにおいて前記下りリンク共有チャネルの復号に用いられるリダンダンシーバージョンは、前記下りリンク制御信号に含まれるリダンダンシーバージョンと、mと、前記スロット番号がmのスロットのスロットインデックスとによって決定され、
n及びmは0以上の整数であり、
前記スロットインデックスは、前記連続スロットの中でのスロットの順番を示す
通信方法。
【請求項８】
端末装置と通信する基地局装置に用いられる通信方法であって、
トランスポートブロックを符号化する符号化ステップと、
上位層の設定情報と、下りリンク制御情報と、前記トランスポートブロックが含まれる下りリンク共有チャネルとを送信する送信ステップと、を備え、
前記下りリンク共有チャネルが繰り返して送信される連続スロットの数を前記上位層の設定情報は含み、
前記下りリンク制御情報は、リダンダンシーバージョン、第1の送信構成指標及び第2の送信構成指標を含み、
前記リダンダンシーバージョンは、誤り訂正符号化におけるビット選択の開始位置を示し、前記下りリンク共有チャネルを復号することによって前記トランスポートブロックを求めるために用いられ、
前記第1の送信構成指標は、前記下りリンク共有チャネルの復調に用いられる復調参照信号と第1の所定の下りリンク信号との第1の擬似コロケーション情報を示し、前記第2の送信構成指標は、前記復調参照信号と第2の所定の下りリンク信号との第2の擬似コロケーション情報を示し、
前記送信ステップにおいて、
前記連続スロットのうちの少なくとも1又は複数の第1のスロットにおいて、前記第1の送信構成指標に基づいて前記下りリンク共有チャネルを送信し、
前記連続スロットのうち少なくとも1又は複数の第2のスロットにおいて、前記第2の送信構成指標に基づいて前記下りリンク共有チャネルを送信し、
前記1又は複数の第1のスロットのうちのスロット番号がnのスロットにおいて前記下りリンク共有チャネルの復号に用いられるリダンダンシーバージョンは、前記下りリンク制御信号に含まれるリダンダンシーバージョンと、nと、前記スロット番号がnのスロットのスロットインデックスとによって決定され、
前記1又は複数の第2のスロットのうちのスロット番号がmのスロットにおいて前記下りリンク共有チャネルの復号に用いられるリダンダンシーバージョンは、前記下りリンク制御信号に含まれるリダンダンシーバージョンと、mと、前記スロット番号がmのスロットのスロットインデックスとによって決定され、
n及びmは0以上の整数であり、
前記スロットインデックスは、前記連続スロットの中でのスロットの順番を示す
通信方法。
【手続補正２】
【補正対象書類名】明細書
【補正対象項目名】発明の名称
【補正方法】変更
【補正の内容】
【発明の名称】端末装置、基地局装置及び通信方法
【手続補正３】
【補正対象書類名】明細書
【補正対象項目名】０００１
【補正方法】変更
【補正の内容】
【０００１】
本発明は、端末装置、基地局装置及び通信方法に関する。